(57)【要約】【課題】本発明の目的は、簡単な巻回構造で電位振動特性を向上可能な静止誘導電器を提供することである。【解決手段】上記目的を達成するために、本発明は、主磁路と、前記主磁路に巻回される巻線導体と、前記巻線導体に隣接配置されたシールド導体と、前記巻線導体の両端にサージ電圧が印加されたときに前記シールド導体の両端に生じる起電力の大きさが、前記サージ電圧の大きさと異なるものとなる様に前記シールド導体の寸法形状が構成されており、前記巻線導体と前記シールド導体の一端同士が、コンデンサを含む負荷を介して接続され、前記巻線導体と前記シールド導体の他端が、直接あるいは他の負荷を介して接続されていることを特徴とする【選択図】  図１
2018098429.tif 000002
【特許請求の範囲】
【請求項１】
主磁路と、
前記主磁路に巻回される巻線導体と、
前記巻線導体に隣接配置されたシールド導体と、
前記巻線導体の両端にサージ電圧が印加されたときに前記シールド導体の両端に生じる起電力の大きさが、前記サージ電圧の大きさと異なるものとなる様に前記シールド導体の寸法形状が構成されており、
前記巻線導体と前記シールド導体の一端同士が、コンデンサを含む負荷を介して接続され、
前記巻線導体と前記シールド導体の他端が、直接あるいは他の負荷を介して接続されていることを特徴とする静止誘導電器。
【請求項２】
請求項１に記載の静止誘導電器において、
前記巻線導体と前記シールド導体が、前記巻線導体を流れる電流の向きと前記シールド導体を流れる電流の向きとが逆向きになるように接続されていることを特徴とする静止誘導電器。
【請求項３】
請求項１に記載の静止誘導電器において、
前記巻線導体の内周に前記シールド導体が巻回されていることを特徴とする静止誘導電器。
【請求項４】
請求項１に記載の静止誘導電器において、
前記シールド導体を少なくとも１ターン以上多く又は１ターン以上少なく巻回し、前記シールド導体の巻数を前記巻線導体の巻数と異なるものとしたことを特徴とする静止誘導電器。
【請求項５】
請求項１に記載の静止誘導電器において、
前記巻線導体と前記シールド導体が共通の絶縁被覆で覆われ一体として形成されていることを特徴とする静止誘導電器。
【請求項６】
請求項５に記載の静止誘導電器において、
前記巻線導体の外周面に前記シールド導体が形成されていることを特徴とする静止誘導電器。
【請求項７】
請求項１に記載の静止誘導電器において、
前記負荷はさらに抵抗を備えたことを特徴とする静止誘導電器。
【請求項８】
請求項１に記載の静止誘導電器において、
前記主磁路と前記巻線導体と前記シールド導体が収納されるタンクを備え、
前記タンクと前記主磁路と前記巻線導体と前記シールド導体とが接続されていることを特徴とする静止誘導電器。
【発明の詳細な説明】
【技術分野】
【０００１】
本発明は、静止誘導電器に係り、特に、電力用に用いられる衝撃電圧特性を改良した静止誘導電器に関する。
【背景技術】
【０００２】
電力用変圧器の信頼性に関わる重要な特性として、雷などのサージに対する衝撃電圧特性がある。これは高周波成分を含んだ単極性のサージ電圧が侵入してきた時の変圧器内部の巻線の過渡特性、いわゆる電位振動特性であり、この特性が悪いと巻線内に過電圧が発生し、場合によっては破壊に至ることもある。
【０００３】
巻線の電位振動特性改善方法としては、従来巻線の巻回構造を変えて巻線の直列静電容量を増すことが一般的であり、素線導体を入組んで巻回するインターリーブ巻（特許文献１）や、複数段離れたコイル間を静電結合させるシールド導体をコイル内に巻込んだいわゆるＣＣ（コンデンサカップリング）シールド巻線（特許文献２）などがよく用いられている。
【先行技術文献】
【特許文献】
【０００４】
【特許文献１】特開２０１３−１６６０７号公報
【特許文献２】特開２０１６−４９５０号公報
【発明の概要】
【発明が解決しようとする課題】
【０００５】
しかし、インターリーブ巻は巻線自体の巻回構造が、ＣＣシールド巻線は複数段離れたコイル内にシールド導体を巻込む構造が複雑であるため、製作工数が増大する。
【０００６】
そこで、本発明の目的は、簡単な巻回構造で電位振動特性を向上可能な静止誘導電器を提供することである。
【課題を解決するための手段】
【０００７】
上記目的を達成するために、本発明は、主磁路と、前記主磁路に巻回される巻線導体と、前記巻線導体に隣接配置されたシールド導体と、前記巻線導体の両端にサージ電圧が印加されたときに前記シールド導体の両端に生じる起電力の大きさが、前記サージ電圧の大きさと異なるものとなる様に前記シールド導体の寸法形状が構成されており、前記巻線導体と前記シールド導体の一端同士が、コンデンサを含む負荷を介して接続され、前記巻線導体と前記シールド導体の他端が、直接あるいは他の負荷を介して接続されていることを特徴とする
【発明の効果】
【０００８】
本発明によれば、簡単な巻回構造で電位振動特性を向上可能な静止誘導電器を提供することができる。
【図面の簡単な説明】
【０００９】
【図１】実施例１における要部の断面図
【図２】実施例１における要部の構成図
【図３】実施例１における回路図
【図４】実施例１における負荷の詳細回路図
【図５】実施例１の変形例における負荷の詳細回路図
【図６】実施例１の動作状況における巻線導体とシールド導体に流れる電流の向きを示した図
【図７】実施例２における要部の断面図
【図８】実施例２における要部の構成図
【図９】実施例２における回路図
【図１０】実施例２の動作状況における巻線導体とシールド導体に流れる電流の向きを示した図
【図１１】実施例１における静止誘導電器の側面図
【図１２】実施例１における静止誘導電器の正面図
【図１３】実施例１における巻線導体とシールド導体の絶縁構造を示す断面図
【図１４】実施例１における変形例を示す断面図
【図１５】実施例１における他の変形例を示す断面図
【発明を実施するための形態】
【００１０】
以下、図面を用いて本発明の静止誘導電器の好ましい実施例について詳説する。なお、発明の実施例を説明するための全図において、同一機能を有するものは同一符号を付け、その繰り返しの説明は省略する。
【実施例１】
【００１１】
実施例１について図１乃至６、図１１乃至１３を用いて説明する。
【００１２】
図１は実施例１における巻線導体とシールド導体の配置構成を示す要部の断面図である。図２は巻線導体とシールド導体の巻回し構造を示す要部の構成図である。図３は実施例１における巻線ユニットの回路図である。図４は巻線ユニットを構成する負荷の詳細回路図である。図５は巻線ユニットを構成する負荷の変形例における負荷の詳細回路図である。図６は実施例１の動作状況における巻線導体とシールド導体に流れる電流の向きを示した図である。図１１は実施例１における静止誘導電器の側面図である。図１２は実施例１における静止誘導電器の正面図である。図１３は実施例１における巻線導体とシールド導体の絶縁構造を示す断面図である。
【００１３】
図１１、図１２に示した静止誘導電器５００は、電力用三相リアクトルであり、巻線ユニット３０１、３０２、及び３０３が、三相三脚の主磁路１の各脚の周囲に巻回され、全体がタンク１５の内部に収納されている。タンク１５の内部には絶縁媒体として絶縁油や六フッ化硫黄ガスなどが充填される。各巻線ユニットの一端３０１ａ、３０２ａ及び３０３ａは三相交流送電線の各ラインに接続される。各巻線ユニットの他端３０１ｂ、３０２ｂ及び３０３ｂは、主磁路１と タンク１５と共に接地され、これによりＹ結線の中性点接地の三相リアクトルとなっている。
【００１４】
次に、図１乃至４を用いて本実施例における巻線ユニット３０１の構成を詳細に説明する。なお、巻線ユニット３０２、３０３についても巻線ユニット３０１と同一の構成である。
【００１５】
図３に示した通り、本実施例における巻線ユニット３０１は、巻線導体１００、シールド導体２００及び負荷５０とで構成されている。具体的には、巻線導体端部１００ａとシールド導体端部２００ａが負荷５０を介して直接接続されている。負荷５０は、図４に示した通り、コンデンサ２０で構成されている。一方、巻線導体端部１００ｂとシールド導体端部２００ｂは直接接続されている。
【００１６】
図１に示すように巻線導体１００は円板コイルを上下方向に偶数段積み重ねた形状をしており、最下段の円板コイルは、巻線導体端部１００ｂから開始して上方から見て時計回りに、外側から内側に向けて５ターン、即ち、ターン１００１、１００２、１００３、１００４、１００５の順に巻回されている。そして、ターン１００５から上段に亘り、今度は上方から見て時計回りに、内側から外側に向けて５ターン、即ち、ターン１００６、１００７、１００８、１００９、１０１０の順に巻回されている。そして、ターン１０１０から上段に亘って、以降同様に巻回すことで円板コイルが偶数段積み重なったものとして巻線導体１００が構成される。
【００１７】
最上段とその下段について述べると、図２の実線で示した通り、上方から見て時計回りに、外側から内側に向けて５ターン、即ち、ターン１０９１、１０９２、１０９３、１０９４、１０９５の順に巻回された後に上段に亘り、今度は上方から見て時計回りに、内側から外側に向けて５ターン、即ち、ターン１０９６、１０９７、１０９８、１０９９、１１００の順に巻回されて、巻線導体端部１００ａで巻回しが終了している。そして実施例１においては合計１００ターンが巻回されて巻線導体１００を構成している。このように構成されている結果、巻線導体１００の巻回軸まわりの電流の向きは全てのターンで同一方向となる。なお、図１３にターン１００１を代表として示す様に、巻線導体１００の周囲は絶縁被覆７０で覆われていて、径方向に隣接するシールド導体との間や、上下に隣接する巻線導体のターン間の電気絶縁の役割を担っている。
【００１８】
同様にシールド導体２００についても円板コイルを上下方向に偶数段積み重ねた形状をしており、最下段は、シールド導体端部２００ｂから開始して上方から見て時計回りに、外側から内側に向けて５ターン、即ち、ターン２００１、２００２、２００３、２００４、２００５の順に巻回されている。そして、ターン２００５から上段に亘り、今度は上方から見て時計回りに、内側から外側に向けて５ターン、即ち、ターン２００６、２００７、２００８、２００９、２０１０の順に巻回されている。そして、ターン２０１０から上段に亘って、以降同様に巻回すことで円板コイルが偶数段積み重なった形状としてシールド導体２００が構成される。
【００１９】
最上段とその下段について述べると、図２の点線で示した通り、上方から見て時計回りに、外側から内側に向けて５ターン、即ち、ターン２０９１、２０９２、２０９３、２０９４、２０９５の順に巻回された後に上段に亘り、今度は上方から見て時計回りに、内側から外側に向けて６ターン、即ち、ターン２０９６、２０９７、２０９８、２０９９、２１００、２１０１の順に巻回されて、シールド導体端部２００ａで巻回しが終了している。そして実施例１においては合計１０１ターンが巻回されてシールド導体２００を構成している。
【００２０】
このように構成されている結果、シールド導体２００の巻回軸まわりの電流の向きは全てのターンで同一方向となる。なお、図１３にターン２００１を代表として示す様に、シールド導体２００の周囲は絶縁被覆７１で覆われていて、径方向に隣接する巻線導体との間や、上下に隣接するシールド導体のターン間の電気絶縁の役割を担っている。
【００２１】
巻線導体１００を構成する各ターンと、シールド導体２００を構成する各ターンとの位置関係については、最下段の最外周を開始ターンとしてターン数を数えたときに、巻線導体の各ターンの内側に隣接してシールド導体の同一ターンが配置されている。シールド導体の最終ターン２１０１については巻線導体の最終ターン１１００の外側に隣接して配置されている。
【００２２】
次に、図３、図４、図６を用いて実施例１の静止誘導電器の動作を説明する。
【００２３】
図１１及び図１２に示した静止誘導電器５００において、通常動作時には各巻線ユニットの一端３０１ａ、３０２ａ及び３０３ａには、商用周波数５０Ｈｚまたは６０Ｈｚの三相交流電圧が印加されている。この時、巻線ユニット３０１について代表的に説明すると、図３に示した巻線導体１００の両端（巻線導体端部１００ａ、巻線導体端部１００ｂ）の間に交流電圧が印加されることにより、シールド導体２００の両端（シールド導体端部２００ａ、シールド導体端部２００ｂ）の間に誘導起電力が誘起される。
【００２４】
この誘導起電力の大きさは、巻線導体１００とシールド導体２００の磁気結合の大きさに依存するが、図６に示した通り、実施例１においてはシールド導体２００が巻線導体１００にターン毎に隣接して密に巻き込まれていること、更には巻線導体より１ターン多く巻回されていることにより、巻線導体１００の両端に印加された交流電圧より大きな誘導起電力が誘起される。この時、巻線導体端部１００ｂとシールド導体端部２００ｂが直接接続されていることにより、巻線導体端部１００ａとシールド導体端部２００ａに接続された負荷５０の両端には、巻線導体に印加された交流電圧とシールド導体に誘起された誘導起電力の差電圧が印加される。これにより、負荷５０のインピーダンスに応じたシールド電流Ｉｓがシールド導体２００を流れる。そして、このシールド電流Ｉｓと、巻線導体１００とシールド導体２００の磁気結合の大きさとに応じた負荷電流が巻線導体１００を流れるが、この負荷電流の周方向の向きは、図６に示した通り、シールド電流と逆向きである。そして、この負荷電流と、巻線導体１００に印加される交流電圧の周波数と大きさ、巻線導体の自己インダクタンスの大きさとに応じて流れる励磁電流とが合成されたものとして、巻線電流Ｉｗが巻線導体１００を流れる。
【００２５】
次に、実施例１の静止誘導電器の巻線ユニット３０１に、雷などの高周波成分を含んだ単極性のサージ電圧が印加された場合の動作を説明する。基本的な動作は、前述した商用交流電圧が印加された場合と同一であるが、雷などのサージ電圧に含まれる高周波成分の周波数は商用周波数の数千倍にもなる。そのため、図１２において接地されている主磁路１及びタンク１５と、巻線ユニット３０１との間に形成される対地静電容量１５０のインピーダンスは数千分の１となり、同一の電圧振幅を仮定した場合、対地静電容量を経由して流れる対地電流の大きさは数千倍となる。一方、巻線導体１００の自己インダクタンスによるインピーダンスの大きさは数千倍となり、巻線導体１００に流れる励磁電流は数千分の１となることから、対地電流の大きさと比較して無視できるレベルになる。そのため、特段の手段を取らない場合には、巻線導体１００の軸方向に流れる電流は、巻線の直列静電容量を通過する電流のみとなる。通常、対地電流の大きさは、巻線の直列静電容量を通過する電流の大きさと比較し無視できないことから、電流保存則を満たす様に巻線の軸方向の電圧分担が決まり、上下方向に電圧分担のアンバランスが生じてしまう。
【００２６】
一方で、実施例１は図４に示した通り、負荷５０をコンデンサ２０としている。そのため、このコンデンサの静電容量を適切に選定することにより、当該コンデンサを経由するシールド電流Ｉｓの大きさを前記対地電流の大きさと比較し十分大きくすることができる。そして、このシールド電流に応じた負荷電流が巻線導体１００にも流れる。前述の通り、巻線導体１００を流れる励磁電流は無視できる大きさであるため、巻線電流Ｉｗはこの負荷電流にほぼ等しく、シールド巻線と導体巻線の巻数比程度に若干大きなものとなる。この様に、シールド巻線及び導体巻線に対地電流よりも十分大きな電流を各々流すことにより、巻線の上下方向の電圧分担を改善することができる。
【００２７】
そして、商用周波数が印加される通常動作時においては、負荷５０、即ち、コンデンサ２０を流れる電流の大きさは数千分の１となり、これに起因して負荷５０、シールド巻線、及び導体巻線に生じる損失を小さく抑えることが可能である。
【００２８】
以上に説明した効果を得るためには、負荷５０が図５に示す様に、コンデンサ２０と抵抗３０を直列に接続したものであっても良い。ここで、抵抗３０は負荷電流の大きさの調整に用いることができる。
【００２９】
そして、図１及び図２に示した通り、本発明の巻線導体及びシールド導体の巻回し構造は、インターリーブ巻やＣＣシールド巻線と比較し単純であり製作が容易である。また、図１３に示した巻線導体とシールド導体を、図１４または図１５に示した様に、巻線導体とシールド導体を共通の絶縁被覆７５で覆って一体化したものとすれば、一層製作を容易にすることができる。
【００３０】
以上、本実施例によれば、簡単な巻回構造で電位振動特性を向上可能な静止誘導電器を提供することができる。
【実施例２】
【００３１】
実施例２について図７乃至１０を用いて説明する。
【００３２】
図７は実施例２における巻線導体とシールド導体の配置構成を示す要部の断面図である。図８は巻線導体とシールド導体の巻回し構造を示す要部の構成図である。図９は実施例２における巻線ユニットの回路図である。図１０は実施例２の動作状況における巻線導体とシールド導体に流れる電流の向きを示した図である。実施例２においては、図７、図８に示した通り、シールド導体のターン数が巻線導体のターン数と同一となっている点、図９に示した通り、負荷５０が巻線導体端部１００ｂとシールド導体端部２００ｂに接続される一方、巻線導体端部１００ａとシールド導体端部２００ａが直接接続されている点が、実施例１の構成と異なっている。
【００３３】
実施例２においては、図７、図８に示した様にシールド導体のターン数が巻線導体のターン数と同一となっている一方、各々のターンは巻線導体の内径側に配置されていることにより、巻線導体１００の両端に印加された交流電圧より、若干小さな誘導起電力がシールド導体２００の両端に誘起される。これにより、負荷５０及びシールド導体を流れるシールド電流Ｉｓと、巻線導体を流れる負荷電流の周方向の向きは、図１０に示したものとなる。この様にシールド電流Ｉｓと、巻線導体を流れる負荷電流の方向は実施例１と反対のものとなっているが、本発明に係る動作は同一である。但し、本発明に掛かる効果を得るために、図９に示したシールド電流Ｉｓの大きさを対地電流Ｉｇより十分大きなものとするにあたっては、負荷５０を図４に示したコンデンサ２０とした場合、このコンデンサの静電容量を実施例１より大きなものを選定する必要がある。一方で、コンデンサ２０の両端に印加される電圧の大きさは小さくなるので、耐圧性能については実施例１より小さなものを選定可能となっている。
【００３４】
以上、本実施例によれば、より簡単な巻回構造で電位振動特性を向上可能な静止誘導電器を提供することができる。
【００３５】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００３６】
１  主磁路
１５  タンク
２０  コンデンサ
３０  抵抗
５０  負荷、
７０、７１、７５  絶縁被覆
１００  巻線導体
１００ａ、１００ｂ  巻線導体端部
１５０  対地静電容量
２００  シールド導体
２００ａ、２００ｂ  シールド導体端部
３０１、３０２、３０３  巻線ユニット
３０１ａ、３０２ａ、３０３ａ  巻線ユニットの一端
３０１ｂ、３０２ｂ、３０３ｂ  巻線ユニットの他端
５００  静止誘導電器
【図１】
2018098429.tif 000003
【図２】
2018098429.tif 000004
【図３】
2018098429.tif 000005
【図４】
2018098429.tif 000006
【図５】
2018098429.tif 000007
【図６】
2018098429.tif 000008
【図７】
2018098429.tif 000009
【図８】
2018098429.tif 000010
【図９】
2018098429.tif 000011
【図１０】
2018098429.tif 000012
【図１１】
2018098429.tif 000013
【図１２】
2018098429.tif 000014
【図１３】
2018098429.tif 000015
【図１４】
2018098429.tif 000016
【図１５】
2018098429.tif 000017